(57)【特許請求の範囲】
【請求項１】
電気機器を収容する電気機器用ケースであって、
開口を有するとともに同一平面で構成されて前記開口を囲う環状のケース側シール面を備えたケース本体と、
矩形の平板状カバー部と前記平板状カバー部の一辺に連なる湾曲カバー部とを備え、前記ケース本体に取り付けられて前記開口を覆うカバー体と、
同一平面で構成されて前記ケース側シール面に対向する環状のカバー側シール面を備え、前記カバー体に設けられて前記平板状カバー部及び前記湾曲カバー部の内側に配置された防水枠と、
前記ケース側シール面と前記カバー側シール面との間に設けられ、前記ケース側シール面と前記カバー側シール面との間を封止するシール部材と、を備え、
前記防水枠が、前記平板状カバー部の前記一辺に平行に延びるとともに前記平板状カバー部から前記ケース側シール面に向かって前記湾曲カバー部の側に傾斜して延びて前記湾曲カバー部との間に連通部を形成する隔壁部を有する箱状に構成されていることを特徴とする電気機器用ケース。
【請求項２】
前記ケース本体が、
第１壁と、
前記第１壁の第１の辺に連なる第２壁と、
前記第２壁に対向するとともに前記第１壁の第２の辺に連なる第３壁と、
前記第１壁の第３の辺、前記第２壁及び前記第３壁に連なる第４壁と、
前記第４壁に対向するとともに前記第１壁の第４の辺、前記第２壁及び前記第３壁に連なる第５壁と、を有する箱型であり、
前記カバー体が、
前記平板状カバー部と、
前記第２壁を覆う第１側面カバー部と、
前記第３壁を覆う第２側面カバー部と、
前記平板状カバー部と前記第１側面カバー部とに連なる第１の前記湾曲カバー部と、
前記平板状カバー部と前記第２側面カバー部とに連なる第２の前記湾曲カバー部と、を有する断面Ｕ字形状である、請求項１に記載の電気機器用ケース。
【請求項３】
前記カバー側シール面が、前記湾曲カバー部よりも前記平板状カバー部から離れて配置されている、請求項１または２に記載の電気機器用ケース。
【請求項４】
前記ケース本体に、前記開口から前記ケース本体の外側に向けて突出し、前記カバー側シール面の、前記平板状カバー部の前記一辺に直交する他辺に沿って延びる部分の、下方に配置された樋部材が設けられている、請求項１〜３の何れか１項に記載の電気機器用ケース。
【請求項５】
前記連通部が上下方向に延びる排水路である、請求項１〜４の何れか１項に記載の電気機器用ケース。
【請求項６】
請求項１〜５の何れか１項に記載の電気機器用ケースと、前記電気機器用ケースに収容された電気機器とを備えることを特徴とする電気機器装置。
【発明の詳細な説明】
【関連出願の相互参照】
【０００１】
本出願は、２０１９年４月２４日に出願された日本国特許出願２０１９−０８３３２６号の優先権を主張するものであり、この先の出願の開示全体をここに参照のために取り込む。
【技術分野】
【０００２】
本開示は、電気機器用ケース及び電気機器装置に関する。
【背景技術】
【０００３】
例えば、蓄電池本体と蓄電池本体の作動を制御する制御回路とを備えた蓄電池などの電気機器をケースに収容した蓄電池装置等の電気機器装置が、家庭用を中心に普及してきている。このような電気機器装置は屋外に設置されることが多いことから、電気機器を収容するケースには高い防水性が求められている。【０００４】
例えば特許文献１には、開口を有する本体ケースと、本体ケースの開口を覆う前面カバーとを備えたケースにおいて、前面カバーを、本体ケースの開口を覆う前面カバー正面に加えて本体ケースの天面を覆う前面カバー天面が一体に設けられた構成とすることで、ケースの上側を前面カバー天面と本体ケースの天面とが重なる二重構造として防水性を高めた構成が開示されている。
【先行技術文献】
【特許文献】
【０００５】
【特許文献１】特開２０１８−６０８２８号公報
【発明の概要】
【０００６】
本開示の実施形態に係る電気機器用ケースは、電気機器を収容する電気機器用ケースであって、開口を有するとともに同一平面で構成されて前記開口を囲う環状のケース側シール面を備えたケース本体と、矩形の平板状カバー部と前記平板状カバー部の一辺に連なる湾曲カバー部とを備え、前記ケース本体に取り付けられて前記開口を覆うカバー体と、同一平面で構成されて前記ケース側シール面に対向する環状のカバー側シール面を備え、前記カバー体に設けられて前記平板状カバー部及び前記湾曲カバー部の内側に配置された防水枠と、前記ケース側シール面と前記カバー側シール面との間に設けられ、前記ケース側シール面と前記カバー側シール面との間を封止するシール部材と、を備え、前記防水枠が、前記平板状カバー部の前記一辺に平行に延びるとともに前記平板状カバー部から前記ケース側シール面に向かって前記湾曲カバー部の側に傾斜して延びて前記湾曲カバー部との間に連通部を形成する隔壁部を有する箱状に構成されていることを特徴とする。
【０００７】
また、本開示の実施形態に係る電気機器装置は、本開示に係る何れかの電気機器用ケースと、前記電気機器用ケースに収容された電気機器とを備えることを特徴とする。
【図面の簡単な説明】
【０００８】
【図１】本開示の一実施の形態に係る電気機器装置の斜視図である。
【図２】図１に示す電気機器装置の、ケース本体からカバー体を取り外した状態の斜視図である。
【図３】図２に示すケース本体の斜視図である。
【図４】図２に示すカバー体の斜視図である。
【図５】カバー体に取り付けられた状態の防水枠を示す斜視図である。
【図６】図４に示すカバー体の横断面図である。
【図７】図１に示す電気機器装置の横断面図である。
【図８】図１に示す電気機器装置の縦断面図である。
【図９】シール部材の構造を模式的に示す説明図である。
【図１０Ａ】比較例の電気機器装置の横断面を模式的に示す図である。
【図１０Ｂ】本実施の形態の電気機器装置の横断面を模式的に示す図である。
【発明を実施するための形態】
【０００９】
従来、電気機器装置のケースには、上記した防水などの機能性だけでなく、より高いデザイン性（意匠性）も求められている。
【００１０】
本開示の目的は、機能性を確保しつつデザイン性を高めた電気機器用ケース及び電気機器装置を提供することにある。
【００１１】
本開示の実施形態によれば、機能性を確保しつつデザイン性を高めた電気機器用ケース及び電気機器装置を提供することができる。
【００１２】
以下、図面を参照しつつ、本開示の一実施の形態を詳細に例示説明する。
【００１３】
図１に示すように、本実施の形態に係る電気機器装置１は、電気機器用ケース２と電気機器用ケース２に収容された電気機器３とを備えている。
【００１４】
本実施の形態では、電気機器装置１は家庭用の蓄電池装置として構成されている。図１において模式的に示す電気機器３は蓄電池である。蓄電池は、例えば、蓄電池本体と蓄電池本体の作動を制御する制御回路とを備えた構成とされる。上記した蓄電池本体としては、例えばリチウムイオン電池またはニッケル水素電池を用いることができる。蓄電池装置に構成された電気機器装置１は、例えば住宅の屋根等に設置された太陽電池に接続されて太陽電池が発生した電力を蓄える用途などに用いることができる。
【００１５】
電気機器装置１は、電気機器用ケース２に、電気機器３に加えて、電力変換装置、燃料電池、換気用ファンなどの、機能ないし構成の異なる複数種類の電気機器を収容した構成とすることもできる。また、電気機器装置１は、電気機器用ケース２に、電気機器３に加えて、例えば断熱材、緩衝材等の部材を収容した構成とすることもできる。
【００１６】
なお、電気機器用ケース２に収容される電気機器３は、上記した蓄電池に限らず、例えば、燃料電池、電力変換装置、変電装置、電力を商用電力系統へ供給する機能を備えた装置などの、他の機能ないし構成を有する電気機器であってもよい。
【００１７】
電気機器装置１は屋外に設置することができる。本実施の形態では、電気機器装置１は、例えば住宅の外壁に、取付け金具、架台等を用いて設置される。
【００１８】
なお、電気機器装置１は、屋外に限らず、屋内などの他の場所に設置されるものであってもよい。
【００１９】
図２に示すように、電気機器３を収容する電気機器用ケース２は、ケース本体１０、カバー体２０、防水枠３０及びシール部材４０を有している。
【００２０】
図３に示すように、ケース本体１０は、第１壁１１、第２壁１２、第３壁１３、第４壁１４及び第５壁１５を有する箱型となっている。本実施の形態では、ケース本体１０は、例えば、鉄鋼、アルミニウム合金、ステンレス鋼等の金属製の１枚の板金を加工して形成されている。このような構成により、上記形状を有するケース本体１０を、安価に製造することができる。
【００２１】
ケース本体１０は、上記した板金製のものに限らず、例えばアルミニウム合金などの金属製の鋳造品、あるいは合成樹脂材料の射出成形品とするなど、他の材質ないし製造方法で製造されたものとしてもよい。また、ケース本体１０は、それぞれ別体に形成された第１壁１１、第２壁１２、第３壁１３、第４壁１４及び第５壁１５を、溶接、接着、締結等の手段によって一体的に連結した構成としてもよい。
【００２２】
第１壁１１は、互いに平行な第１の辺１１ａ及び第２の辺１１ｂと、それぞれ第１の辺１１ａ及び第２の辺１１ｂに直交するとともに互いに平行な第３の辺１１ｃ及び第４の辺１１ｄとを有している。また、第１壁１１には、第２の辺１１ｂから第４の辺１１ｄに沿って第１の辺１１ａの側に向けて凹む矩形形状の切り欠く切欠き部１１ｅが設けられている。このように、第１壁１１は、４つの辺１１ａ〜１１ｄを有するとともに一部が切欠き部１１ｅにより切り欠かれた外形が略矩形の板状となっている。本実施の形態では、第１壁１１は、ケース本体１０の背面を構成している。
【００２３】
第２壁１２は、第１壁１１よりも細長い矩形の板状となっており、第１壁１１の第１の辺１１ａに直角に連なっている。
【００２４】
第３壁１３は、第２壁１２と同様の細長い矩形の板状となっており、第１壁１１の第２の辺１１ｂに直角に連なって第２壁１２に対向している。第３壁１３には、第２の辺１１ｂから第１壁１１から離れる方向に向けて凹む矩形形状の切欠き部１３ａが設けられている。
【００２５】
本実施の形態では、第２壁１２及び第３壁１３は、互いに平行に対向し、それぞれケース本体１０の側方を向く側面を構成している。
【００２６】
第４壁１４は、第１壁１１よりも細長い板状となっており、第１壁１１の第３の辺１１ｃに直角に連なるとともに第２壁１２及び第３壁１３の図３中上方側となる上辺に直角に連なっている。本実施の形態では、第４壁１４は、ケース本体１０の上方を向く天面を構成している。
【００２７】
第４壁１４には、第２壁１２及び第３壁１３に対して第１壁１１から離れる方向に突出する突出壁１６が一体に設けられている。突出壁１６は、第１壁１１の面に平行な端面１６ａを有するとともに、両方の側端面が所定の曲率で湾曲した形状となっている。
【００２８】
第５壁１５は、第４壁１４と同様の細長い板状となっており、第１壁１１の第４の辺１１ｄに直角に連なるとともに第２壁１２及び第３壁１３の図３中下方側となる下辺に直角に連なって第４壁１４に対向している。本実施の形態では、第５壁１５は、ケース本体１０の下方を向く底面を構成している。
【００２９】
なお、ケース本体１０に設けられた切欠き部１１ｅ、切欠き部１３ａは、カバー壁１７によりケース本体１０の内側から閉塞されている。
【００３０】
ケース本体１０の内部は、電気機器３を収容する収容空間１０ａとなっている。ケース本体１０の第１壁１１と対向する側は開口１０ｂとなっており、カバー体２０をケース本体１０から取り外して開口１０ｂを外部に連通させることで、開口１０ｂを通して収容空間１０ａに電気機器３を配置することができる。
【００３１】
ケース本体１０は、第１壁１１と平行な同一平面で構成されて開口１０ｂを囲う環状のケース側シール面１８を備えている。
【００３２】
より具体的には、ケース側シール面１８は、第２壁１２の開口１０ｂの側の側部を内側に直角に折り曲げて形成されたフランジ状部分の第１壁１１と平行な外向き面として構成された第１ケース側シール面１８ａと、第３壁１３の開口１０ｂの側の側部を内側に直角に折り曲げて形成されたフランジ状部分の第１壁１１と平行な外向き面として構成された第２ケース側シール面１８ｂと、突出壁１６の第５壁１５の側を向く下面に固定されたフレーム材１９の第１壁１１と平行な外向き面として構成された第３ケース側シール面１８ｃと、第５壁１５の開口１０ｂの側の側部を外側に直角に折り曲げて形成されたフランジ状部分の第１壁１１と平行な外向き面として構成された第４ケース側シール面１８ｄとを備えている。第１ケース側シール面１８ａの一端に第３ケース側シール面１８ｃの一端が連なり、第３ケース側シール面１８ｃの他端に第２ケース側シール面１８ｂの一端が連なり、第２ケース側シール面１８ｂの他端に第４ケース側シール面１８ｄの一端が連なり、第４ケース側シール面１８ｄの他端に第１ケース側シール面１８ａの他端が連なっている。このように、ケース本体１０には、第１ケース側シール面１８ａ、第２ケース側シール面１８ｂ、第３ケース側シール面１８ｃ及び第４ケース側シール面１８ｄが環状に連なって開口１０ｂを囲う環状のケース側シール面１８が設けられている。
【００３３】
図４に示すように、外装パネルであるカバー体２０は、平板状カバー部２１と、第２壁１２を外側から覆う第１側面カバー部２２と、第３壁１３を外側から覆う第２側面カバー部２３と、平板状カバー部２１と第１側面カバー部２２とに連なる第１の湾曲カバー部２４と、平板状カバー部２１と第２側面カバー部２３とに連なる第２の湾曲カバー部２５と、を有する断面Ｕ字形状（コの字形状）となっている。カバー体２０の板厚は任意に設定することができ、例えば、０．３ｍｍ〜３．５ｍｍとするのがよい。
【００３４】
カバー体２０は、例えば、鉄鋼、アルミニウム合金、ステンレス鋼等の金属製の１枚の板金を曲げ加工して形成されたものとすることができる。このような構成により、上記形状を有するカバー体２０を、単純な曲げ加工により、容易かつ安価に製造することができる。
【００３５】
カバー体２０は、１枚の板金を曲げ加工して平板状カバー部２１、第１側面カバー部２２、第２側面カバー部２３、第１の湾曲カバー部２４及び第２の湾曲カバー部２５が一体に形成されたものに限らず、互いに別体に形成された平板状カバー部２１、第１側面カバー部２２、第２側面カバー部２３、第１の湾曲カバー部２４及び第２の湾曲カバー部２５を、溶接、接着、締結等の手段によって互いに一体的に連結した構成とすることもできる。また、カバー体２０は、金属製に限らず、例えば合成樹脂材料の射出成形品とするなど、他の材質で形成されたものとすることもできる。
【００３６】
平板状カバー部２１は、ケース本体１０の第１壁１１の第１の辺１１ａに平行な第１の辺２１ａ及び第２の辺２１ｂを有している。また、平板状カバー部２１は、第１壁１１の第３の辺１１ｃに平行な第３の辺２１ｃ及び第４の辺２１ｄを有している。このように、平板状カバー部２１は、４つの辺２１ａ〜２１ｄを有する外形が矩形の板状となっている。
【００３７】
第１の湾曲カバー部２４は、平板状カバー部２１の第１の辺２１ａに一体に連なっている。第１の湾曲カバー部２４は、第１の辺２１ａに平行な軸を中心軸とし、中心角が９０度の円弧状となるように、第１の辺２１ａから第１壁１１の側に向けて曲がっている。
【００３８】
第２の湾曲カバー部２５は、平板状カバー部２１の第２の辺２１ｂに一体に連なっている。第２の湾曲カバー部２５は、第２の辺２１ｂに平行な軸を中心軸とし、中心角が９０度の円弧状となるように、第２の辺２１ｂから第１壁１１の側に向けて曲がっている。
【００３９】
円弧状に湾曲する第１の湾曲カバー部２４及び第２の湾曲カバー部２５の半径は、突出壁１６の湾曲する両方の側端面の曲率と略同一となっている。
【００４０】
第１側面カバー部２２は、第２壁１２に平行な矩形の板状となっており、第１の湾曲カバー部２４に一体に連なっている。
【００４１】
第２側面カバー部２３は、第３壁１３に平行な矩形の板状となっており、第２の湾曲カバー部２５に一体に連なっている。
【００４２】
第１側面カバー部２２及び第２側面カバー部２３には、それぞれ２つの取付け孔２６（第１側面カバー部２２の取付け孔２６は１つのみが示されている）が設けられている。一方、図３に示すように、ケース本体１０の第２壁１２及び第３壁１３の第１壁１１の側に偏った位置には、それぞれ第４壁１４の側と第５壁１５の側とに分けて２つのネジ穴５０が設けられている。
【００４３】
図１に示すように、カバー体２０は、カバー体２０の取付け孔２６に挿通したネジ部材５１をケース本体１０の対応するネジ穴５０にねじ結合させることにより、ケース本体１０に取り付けられている。ケース本体１０に取り付けられたカバー体２０は、ケース本体１０の開口１０ｂを覆う。なお、ネジ部材５１としては、例えば、ねじの谷径よりも小径の棒状部分を先端に有する棒先ネジを用いることができる。
【００４４】
図５、図６に示すように、防水枠３０は、カバー体２０に設けられて平板状カバー部２１及び一対の湾曲カバー部（第１の湾曲カバー部２４及び第２の湾曲カバー部２５）の内側に配置されている。
【００４５】
より具体的には、防水枠３０は、平板状カバー部２１と同一または平板状カバー部２１と小さい矩形板状となる固定用壁部３１と、固定用壁部３１の第１の湾曲カバー部２４の側の側部に連なる第１の隔壁部３２と、固定用壁部３１の第２の湾曲カバー部２５の側の側部に連なる第２の隔壁部３３と、固定用壁部３１の第３の辺２１ｃの側の側部、第１の隔壁部３２及び第２の隔壁部３３に連なる第３の隔壁部３４と、固定用壁部３１の第４の辺２１ｄの側の側部、第１の隔壁部３２及び第２の隔壁部３３に連なる第４の隔壁部３５とを備え、固定用壁部３１に対向する部分が開口３０ａとなる箱状に構成されている。ケース本体１０にカバー体２０が装着された状態において、防水枠３０の開口３０ａはケース本体１０の開口１０ｂに連なり、防水枠３０の内部空間はケース本体１０の収容空間１０ａに連通して当該収容空間１０ａとともに電気機器用ケース２の内部空間を構成している。
【００４６】
防水枠３０は、固定用壁部３１が、例えばスポット溶接ないし接着等の手段により平板状カバー部２１に固定されることでカバー体２０に一体的に設けられている。防水枠３０の開口３０ａ以外の部分は気密ないし液密に密封されている。
【００４７】
なお、防水枠３０は、固定用壁部３１を備えず、第１の隔壁部３２、第２の隔壁部３３、第３の隔壁部３４及び第４の隔壁部３５が溶接等の手段によって直接、平板状カバー部２１に固定されている構成とすることもできる。この場合、第１の隔壁部３２、第２の隔壁部３３、第３の隔壁部３４及び第４の隔壁部３５で構成される環状の枠体部分の開口３０ａとは反対側の開口端は平板状カバー部２１により気密ないし液密に密封される。
【００４８】
防水枠３０の各部をより具体的に説明すると、第１の隔壁部３２は、平板状カバー部２１の第１の辺２１ａに平行に延びる細長く平らな板状となっており、平板状カバー部２１からケース側シール面１８の側（平板状カバー部２１から離れる側）に向かって、平板状カバー部２１に垂直な方向に対して第１の湾曲カバー部２４の側に傾斜して延びている。第１の隔壁部３２の平板状カバー部２１に連なる側部とは反対側の側部は第１側面カバー部２２に当接しており、当該側部に一体に連なる第１支持壁３６がスポット溶接ないし接着等の手段により第１側面カバー部２２に固定されている。第１の隔壁部３２と第１の湾曲カバー部２４との間は、平板状カバー部２１の第１の辺２１ａに沿う方向に延びて第３の隔壁部３４の側と第４の隔壁部３５の側とに開口する空間として構成された第１の連通部６０となっている。
【００４９】
同様に、第２の隔壁部３３は、平板状カバー部２１の第２の辺２１ｂに平行に延びる細長く平らな板状となっており、平板状カバー部２１からケース側シール面１８の側（平板状カバー部２１から離れる側）に向かって、平板状カバー部２１に垂直な方向に対して第２の湾曲カバー部２５の側に傾斜して延びている。第２の隔壁部３３の平板状カバー部２１に連なる側部とは反対側の側部は第２側面カバー部２３に当接しており、当該側部に一体に連なる第２支持壁３７がスポット溶接ないし接着等の手段により第２側面カバー部２３に固定されている。第２の隔壁部３３と第２の湾曲カバー部２５との間は、平板状カバー部２１の第２の辺２１ｂに沿う方向に延びて第３の隔壁部３４の側と第４の隔壁部３５の側とに開口する空間として構成された第２の連通部６１となっている。
【００５０】
第３の隔壁部３４は、平板状カバー部２１の第３の辺２１ｃに平行に延びる細長く平らな台形状となっており、平板状カバー部２１からケース側シール面１８の側（平板状カバー部２１から離れる側）に向かって第４の隔壁部３５から離れる方向に傾斜して延びている。第３の隔壁部３４の両側部は、それぞれ第１の隔壁部３２、第２の隔壁部３３に連結されている。
【００５１】
第４の隔壁部３５は、平板状カバー部２１の第４の辺２１ｄに平行に延びる細長く平らな台形状となっており、平板状カバー部２１からケース側シール面１８の側（平板状カバー部２１から離れる側）に向かって固定用壁部３１に対して垂直に延びている。第４の隔壁部３５の両側部は、それぞれ第１の隔壁部３２、第２の隔壁部３３に連結されている。
【００５２】
防水枠３０は、平板状カバー部２１と平行な同一平面で構成されて開口３０ａを囲う環状のカバー側シール面３８を備えている。図７、図８に示すように、カバー体２０がケース本体１０に装着された状態において、カバー側シール面３８はケース側シール面１８に対向する。このとき、カバー側シール面３８とケース側シール面１８は互いに平行である。
【００５３】
より具体的には、カバー側シール面３８は、第１支持壁３６の側部を内側に折り曲げて形成されたフランジ状部分の平板状カバー部２１と平行な外向き面として構成された第１カバー側シール面３８ａと、第２支持壁３７の側部を内側に折り曲げて形成されたフランジ状部分の平板状カバー部２１と平行な外向き面として構成された第２カバー側シール面３８ｂと、第３の隔壁部３４の開口３０ａの側の側部を内側に折り曲げて形成されたフランジ状部分の平板状カバー部２１と平行な外向き面として構成された第３カバー側シール面３８ｃと、第４の隔壁部３５の開口３０ａの側の側部を内側に折り曲げて形成されたフランジ状部分の平板状カバー部２１と平行な外向き面として構成された第４カバー側シール面３８ｄと、を備えている。第１カバー側シール面３８ａの一端に第３カバー側シール面３８ｃの一端が連なり、第３カバー側シール面３８ｃの他端に第２カバー側シール面３８ｂの一端が連なり、第２カバー側シール面３８ｂの他端に第４カバー側シール面３８ｄの一端が連なり、第４カバー側シール面３８ｄの他端に第１カバー側シール面３８ａの他端が連なっている。このように、防水枠３０には、第１カバー側シール面３８ａ、第２カバー側シール面３８ｂ、第３カバー側シール面３８ｃ及び第４カバー側シール面３８ｄが環状に連なって開口３０ａを囲うとともにケース側シール面１８に対向する環状のカバー側シール面３８が設けられている。
【００５４】
本実施の形態では、カバー側シール面３８は、一対の湾曲カバー部（第１の湾曲カバー部２４及び第２の湾曲カバー部２５）よりも平板状カバー部２１から離れて配置されている。すなわち、カバー側シール面３８は、平板状カバー部２１に垂直な方向において、第１の湾曲カバー部２４の第１側面カバー部２２と連なる側の側部及び第２の湾曲カバー部２５）の第２側面カバー部２３と連なる側部よりも、平板状カバー部２１から離れた位置に配置されている。これにより、第１カバー側シール面３８ａは第１側面カバー部２２に隣接して配置され、第２カバー側シール面３８ｂは第２側面カバー部２３に隣接して配置されている。
【００５５】
上記構成を有する防水枠３０は、例えば、鉄鋼、アルミニウム合金、ステンレス鋼等の金属製の１枚の板金を加工して形成されたものとすることができる。このような構成により、上記形状を有する防水枠３０を、容易かつ安価に製造することができる。
【００５６】
図９に示すように、シール部材４０はケース側シール面１８及びカバー側シール面３８に対応した環状に構成されている。図７、図８に示すように、シール部材４０は、カバー体２０がケース本体１０に装着された状態において、ケース側シール面１８とカバー側シール面３８との間に、圧縮方向に所定の割合で弾性変形した状態で配置されている。シール部材４０は、環状のケース側シール面１８と環状のカバー側シール面３８とに全周に亘って接し、ケース側シール面１８とカバー側シール面３８との間を、雨水等の水が侵入しない程度に封止する。すなわち、シール部材４０は、ケース側シール面１８とカバー側シール面３８との間に設けられてケース側シール面１８とカバー側シール面３８との間を封止する、防水機能を有する構成となっている。
【００５７】
このように、ケース本体１０のケース側シール面１８とカバー体２０に設けられた防水枠３０のカバー側シール面３８との間にシール部材４０を設けたことにより、ケース本体１０とカバー体２０ないし防水枠３０の間からケース本体１０の内部の収容空間１０ａに雨水等の水が侵入することを防止することができる。
【００５８】
シール部材４０は、例えば合成ゴム、エラストマー等の弾性体により形成されたものとすることができる。また、シール部材４０は、エチレンプロピレンゴムの発泡体であるゴムスポンジにより形成されたものであってもよい。なお、シール部材４０は、上記以外の構成ないし材質のものとすることもできる。
【００５９】
図９に示すように、本実施の形態では、シール部材４０は、第１シール部４１、第２シール部４２、第３シール部４３及び第４シール部４４の４つの部材を組み合わせて１つの環状の形状のものに構成されている。
【００６０】
第１シール部４１は、主に第１ケース側シール面１８ａと、これに対向する第１カバー側シール面３８ａとの間に配置されるものであり、第１ケース側シール面１８ａ及び第１カバー側シール面３８ａに沿って延びる本体部４１ａと、本体部４１ａの一端に段差部４１ｂを介して連なる副体部４１ｃとを有している。副体部４１ｃは、本体部４１ａに対して本体部４１ａの幅の分だけケース本体１０の内側にずれている。また、第１シール部４１は、本体部４１ａの他端側において本体部４１ａの側部から内側に突出する突起部４１ｄを有している。突起部４１ｄは本体部４１ａの他端から第４シール部４４の幅の分だけずれている。
【００６１】
第２シール部４２は、第１シール部４１と対称な形状となっている。第２シール部４２は、主に第２ケース側シール面１８ｂと、これに対向する第２カバー側シール面３８ｂとの間に配置されるものであり、第２ケース側シール面１８ｂ及び第２カバー側シール面３８ｂに沿って延びる本体部４２ａと、本体部４２ａの一端に段差部４２ｂを介して連なる副体部４２ｃとを有している。副体部４２ｃは、本体部４２ａに対して本体部４２ａの幅の分だけケース本体１０の内側にずれている。また、第２シール部４２は、本体部４２ａの他端側において本体部４２ａの側部から内側に突出する突起部４２ｄを有している。突起部４２ｄは本体部４２ａの他端から第４シール部４４の幅の分だけずれている。
【００６２】
第３シール部４３は、第３ケース側シール面１８ｃと、これに対向する第３カバー側シール面３８ｃとの間に配置される本体部４３ａと、本体部４３ａの一端に連なるとともに本体部４３ａに垂直な方向に延びて第１ケース側シール面１８ａと第１カバー側シール面３８ａとの間に配置される第１副体部４３ｂと、本体部４３ａの他端に連なるとともに本体部４３ａに垂直な方向に延びて第２ケース側シール面１８ｂと第２カバー側シール面３８ｂとの間に配置される第２副体部４３ｃとを有している。
【００６３】
第１副体部４３ｂの本体部４３ａとは反対側を向く先端は第１シール部４１の本体部４１ａの段差部４１ｂが設けられる側の一端に当接しており、第１副体部４３ｂの側部は第１シール部４１の副体部４１ｃの側部に当接している。第３シール部４３の第１副体部４３ｂの先端と第１シール部４１の本体部４１ａの一端との間の境界４５ａはケース本体１０の天壁を構成する第４壁１４と平行な方向に延び、第１副体部４３ｂの側部と第１シール部４１の副体部４１ｃの側部との間の境界４５ｂは、境界４５ａから第４壁１４の側に向けて境界４５ａに対して垂直に延びている。
【００６４】
同様に、第２副体部４３ｃの本体部４３ａとは反対側を向く先端は第２シール部４２の本体部４２ａの段差部４２ｂが設けられる側の一端に当接しており、第２副体部４３ｃの側部は第２シール部４２の副体部４２ｃの側部に当接している。第３シール部４３の第１副体部４３ｃの先端と第２シール部４２の本体部４２ａの一端との間の境界４６ａはケース本体１０の天壁を構成する第４壁１４と平行な方向に延び、第２副体部４３ｃの側部と第２シール部４２の副体部４２ｃの側部との間の境界４６ｂは、境界４６ａから第４壁１４の側に向けて境界４６ａに対して垂直に延びている。
【００６５】
第４シール部４４は、第４ケース側シール面１８ｄと、これに対向する第４カバー側シール面３８ｄとの間に配置される。第４シール部４４の一端は第１シール部４１の本体部４１ａに側方から当接しており、第４シール部４４の一端側の側部は第１シール部４１の突起部４１ｄに当接している。第４シール部４４の先端と第１シール部４１の本体部４１ａとの間の境界４７ａはケース本体１０の天壁を構成する第４壁１４に向けて延び、第４シール部４４と第１シール部４１の突起部４１ｄとの間の境界４７ｂは、境界４７ａに対して垂直に延びている。同様に、第４シール部４４の他端と第２シール部４２の本体部４２ａとの間の境界４８ａはケース本体１０の天壁を構成する第４壁１４に向けて延び、第４シール部４４と第２シール部４２の突起部４２ｄとの間の境界４８ｂは、境界４８ａに対して垂直に延びている。
【００６６】
このように、シール部材４０を、第１シール部４１、第２シール部４２、第３シール部４３及び第４シール部４４の４つの部材を組み合わせて１つの環状の形状とする構成としたことにより、シール部材４０を矩形形状のシート材から打ち抜いて製造する場合において、１枚のシート材から環状のシール部材を打ち抜くのに比べて、１枚のシート材から第１シール部４１、第２シール部４２、第３シール部４３及び第４シール部４４を歩留まり良く打ち抜くことができる。これにより、１枚のシート材から多数のシール部材４０を製造することができるようになるので、シール部材４０の製造コストを低減することができる。
【００６７】
また、シール部材４０により封止された状態の電気機器用ケース２では、電気機器３が発生する熱、電気機器装置１が設置される環境の気温の変化等によって、収容空間１０ａの内部の空気の圧力が変化することになるので、環状のシール部材４０を複数部分に分割し、これらを接合した構造のものとすると、収容空間１０ａの内部の空気の圧力変化に伴って、当該接合部分における境界から空気が出入りする。このとき、シール部材４０の接合部分における外面に水が付着していると、この水が空気とともに接合部分の境界を通してケース本体１０の収容空間１０ａの内部に吸い込まれ、電気機器装置１ないし電気機器用ケース２の防水性が低下するおそれがある。
【００６８】
このような問題に対し、本実施の形態では、シール部材４０を、第１シール部４１、第２シール部４２、第３シール部４３及び第４シール部４４の４つの部材を組み合わせて１つの環状の形状とする構成としつつ、これらの接合部分を、第４壁１４に向けて延びる境界４５ｂ、４６ｂ、４７ａ、４８ａと、これらの境界４５ｂ、４６ｂ、４７ａ、４８ａに垂直に延びる境界４５ａ、４６ａ、４７ｂ、４８ｂとを備える構成としたので、シール部材４０の接合部分における外面に付着した水が空気とともに接合部分の境界を通してケース本体１０の収容空間１０ａの内部に吸い込まれても、第４壁１４に向けて延びる境界４５ｂ、４６ｂ、４７ａ、４８ａにおいて当該水を自重で下方に落下させるようにして、ケース本体１０の収容空間１０ａの内部に吸い込まれることを抑制することができる。これにより、電気機器装置１ないし電気機器用ケース２の防水性を高めることができる。
【００６９】
なお、シール部材４０は分割構造ではなく一体構造の部材で環状に形成された構成とすることもできる。
【００７０】
上記の構成を有する本実施の形態の電気機器装置１ないし電気機器用ケース２では、カバー体２０を、第１の湾曲カバー部２４及び第２の湾曲カバー部２５を有する構成としている。これにより、カバー体２０の外観を角部が丸みを帯びた見映えの良いものとして、上記形状のカバー体２０を備えた本実施の形態の電気機器用ケース２及び電気機器装置１を、第１の湾曲カバー部２４ないし第２の湾曲カバー部２５がカバー体２０に設けられない場合に比べて、よりデザイン性（意匠性）の高いものとすることができる。
【００７１】
本実施の形態の電気機器装置１ないし電気機器用ケース２において、円弧状に湾曲する第１の湾曲カバー部２４及び第２の湾曲カバー部２５は、例えば、その半径を１０ｍｍ以上とするとよい。このような構成とすることにより、第１の湾曲カバー部２４及び第２の湾曲カバー部２５が設けられることによる角部が丸みを帯びた形状を、視認者に十分に印象付けることができる。したがって、カバー体２０及び当該カバー体２０を用いた電気機器装置１ないし電気機器用ケース２を、よりデザイン性（意匠性）の高いものとすることができる。
【００７２】
円弧状に湾曲する第１の湾曲カバー部２４及び第２の湾曲カバー部２５は、例えば、その半径を２０〜８０ｍｍの範囲とするとよい。このような構成とすることにより、第１の湾曲カバー部２４及び第２の湾曲カバー部２５が設けられることによる角部が丸みを帯びた形状を、視認者に適度に印象付けることができる。したがって、カバー体２０及びカバー体２０を用いた電気機器装置１ないし電気機器用ケース２を、さらにデザイン性（意匠性）の高いものとすることができる。
【００７３】
本実施の形態では、カバー体２０を、平板状カバー部２１と、第１側面カバー部２２と、第２側面カバー部２３と、第１の湾曲カバー部２４と、第２の湾曲カバー部２５とを有する断面Ｕ字形状としたので、カバー体２０の外観を、平板状カバー部２１を挟んだ両方の角部が丸みを帯びる、さらに見映えの良いものとすることができる。これにより、上記形状のカバー体２０及び当該カバー体２０を用いた電気機器装置１ないし電気機器用ケース２を、湾曲カバー部をカバー体に設けない場合に比べて、さらにデザイン性（意匠性）の高いものとすることができる。
【００７４】
また、本実施の形態では、第１側面カバー部２２及び第２側面カバー部２３により、ケース本体１０の第２壁１２及び第３壁１３が覆われる構成としたので、電気機器３が発生する熱により加熱されたケース本体１０の第２壁１２及び第３壁１３が直接手で触れられることを防止することができる。
【００７５】
図１０Ａは比較例の電気機器装置の横断面を模式的に示す図であり、図１０Ｂは本実施の形態の電気機器装置の横断面を模式的に示す図である。
【００７６】
上記のように、カバー体２０を、第１の湾曲カバー部２４及び第２の湾曲カバー部２５を備えた構成とすることで、電気機器装置１ないし電気機器用ケース２をデザイン性（意匠性）の高いものとすることができる。
【００７７】
しかし、図１０Ａに示す比較例の電気機器装置のように、カバー体１２０を、第１の湾曲カバー部１２４及び第２の湾曲カバー部１２５を備えるが防水枠を備えない構成とした場合には、シール部材１４０によるケース側シール面１１８とカバー側シール面１３８との間の防水ラインＬを、第１の湾曲カバー部１２４及び第２の湾曲カバー部１２５の内側の平板状カバー部１２１の部分に確保する必要がある。そのため、第１の湾曲カバー部１２４及び第２の湾曲カバー部１２５の半径の分だけ、カバー体１２０がケース本体１０よりも幅方向に大型化することになる。特に、カバー体１２０が第１側面カバー部１２２及び第２側面カバー部１２３を備える構成の場合には、第１側面カバー部１２２が第２壁１１２から離れるとともに第２側面カバー部１２３が第３壁１１３から離れて、第１側面カバー部１２２と第２壁１１２の間及び第２側面カバー部１２３と第３壁１１３との間に無駄なスペースが生じ、電気機器装置が大型化するという問題が生じることになる。
【００７８】
これに対し、図１０Ｂに示すように、本実施の形態の電気機器装置１では、第１の湾曲カバー部２４及び第２の湾曲カバー部２５を備えたカバー体２０に、第１の湾曲カバー部２４及び第２の湾曲カバー部２５を逃げた形に形成されて平板状カバー部２１及び一対の湾曲カバー部２４、２５の内側に配置される防水枠３０を設け、この防水枠３０にカバー側シール面３８を設けるようにしたので、シール部材４０によるケース側シール面１８とカバー側シール面３８との間の防水ラインＬを、平板状カバー部２１の部分だけでなく平板状カバー部２１から第１の湾曲カバー部２４及び第２の湾曲カバー部２５の側に拡がった範囲にも確保することができる。
【００７９】
したがって、カバー体２０を、第１の湾曲カバー部２４及び第２の湾曲カバー部２５を備えた構成のものとしても、当該カバー体２０が大型化することを抑制して、電気機器装置１ないし電気機器用ケース２を大型化することを抑制しつつ防水構造を確保することができる。
【００８０】
特に、本実施の形態では、カバー側シール面３８を、第１の湾曲カバー部２４及び第２の湾曲カバー部２５よりも平板状カバー部２１から離れて配置するようにしているので、シール部材４０によるケース側シール面１８とカバー側シール面３８との間の防水ラインＬを、平板状カバー部２１の部分だけでなく第１の湾曲カバー部２４及び第２の湾曲カバー部２５を含めたカバー体２０の内側の幅方向の全範囲に確保することができる。これにより、カバー体２０を、第１の湾曲カバー部２４及び第２の湾曲カバー部２５を備えた構成のものとしても、当該カバー体２０をケース本体１０に対応した大きさのものとして、電気機器装置１ないし電気機器用ケース２を最小寸法としつつ防水構造を確保することができる。
【００８１】
カバー体２０が第１側面カバー部２２及び第２側面カバー部２３を備える構成の場合にも、第１側面カバー部２２と第２壁１２の間及び第２側面カバー部２３と第３壁１３との間に生じる隙間を無くして、電気機器装置１ないし電気機器用ケース２を最小寸法としつつ防水構造を確保することができる。
【００８２】
この場合、第２壁１２の外面と第３壁１３の外面とに所定の突出量で突出するボスを設けて、第１側面カバー部２２と第２壁１２の間の隙間及び第２側面カバー部２３と第３壁１３との間の隙間が均一になるように調整した構成とすることもできる。ボスは、例えば第２壁１２の外面と第３壁１３の外面のネジ穴５０の周囲に設けることができる。
【００８３】
なお、カバー体２０に設けた防水枠３０の内部空間はケース本体１０の収容空間１０ａに連なって収容空間１０ａとともに電気機器用ケース２の内部空間を構成するので、防水枠３０の分だけケース本体１０を小型化することができる。よって、カバー体２０に防水枠３０を設けた構成としても、電気機器装置１ないし電気機器用ケース２が大型化することを抑制することができる。
【００８４】
図３、図８に示すように、ケース本体１０は、樋部材７０を備えた構成とすることもできる。
【００８５】
樋部材７０は、突出壁１６の側に開放部分を向けた断面略Ｕ字形状（コの字形状）のレール状に形成され、第３ケース側シール面１８ｃの開口１０ｂの側を向く端縁に一体に連ねて設けられている。樋部材７０は、第２壁１２と第３壁１３の間の全範囲において第４壁１４に平行な方向に延びるとともに開口１０ｂからケース本体１０の外側に向けて突出し、平板状カバー部２１の第３の辺２１ｃに沿って延びるケース側シール面１８の第３ケース側シール面１８ｃの下方に配置されている。
【００８６】
上記構成の樋部材７０は、水等の液体を受けることができるとともに当該受けた液体を両端部から外部に排出することができる。
【００８７】
なお、樋部材７０は、第３ケース側シール面１８ｃとは別体に形成したものをケース本体１０に固定する構成とすることもできる。
【００８８】
電気機器装置１を、第４壁１４が天壁となるように第４壁１４を上方に向けた姿勢で屋外に設置すると、雨水等の水が、ケース側シール面１８の第３ケース側シール面１８ｃとカバー側シール面３８の第３カバー側シール面３８ｃとの間に配置されたシール部材４０の第３シール部４３の本体部４３ａの上に水が溜まる場合がある。
【００８９】
この場合、当該水は、平板状カバー部２１の側が低くなるように傾斜する第３の隔壁部３４に沿って平板状カバー部２１の側に流れ、そこから第３の隔壁部３４の両側部に排水路として設けられた第１の連通部６０及び第２の連通部６１を通ってカバー体２０の下端側に流され、第１の湾曲カバー部２４及び第２の湾曲カバー部２５と突出壁１６の湾曲面との間の隙間から外部に排出されることになる。
【００９０】
しかし、第３ケース側シール面１８ｃと第３カバー側シール面３８ｃとの間に配置された第３シール部４３の本体部４３ａの上に溜まった水が排出されずに第３シール部４３の本体部４３ａの上に残った状態となる場合も考えられる。この場合、電気機器３のメンテナンス等のために、第３シール部４３の本体部４３ａの上に残った状態のまま、カバー体２０がケース本体１０から取り外されると、当該水がケース本体１０の収容空間１０ａに侵入して電気機器３に付着するおそれがある。
【００９１】
これに対し、本実施の形態の電気機器装置１では、ケース本体１０に、第３ケース側シール面１８ｃの下方に配置される樋部材７０を設けるようにしたので、第３シール部４３の本体部４３ａの上に溜まった水が排出されずに第３シール部４３の本体部４３ａの上に残った状態のままカバー体２０がケース本体１０から取り外されても、当該水を樋部材７０で受けて、当該樋部材７０の両端からケース本体１０の外部に排出することができる。これにより、ケース本体１０の収容空間１０ａに不意に水が侵入して電気機器３に付着することを防止することができる。
【００９２】
本開示は前記実施の形態に限定されるものではなく、その要旨を逸脱しない範囲で種々変更可能である。
【００９３】
例えば、前記実施の形態では、カバー体２０は、第１の湾曲カバー部２４及び第２の湾曲カバー部２５を備えた構成とされているが、湾曲カバー部を１つのみ備えた構成としてもよい。この場合、防水枠３０は、当該湾曲カバー部に対応した一方の隔壁部のみを備えた構成としてもよい。
【００９４】
また、前記実施の形態では、カバー体２０は第１側面カバー部２２及び第２側面カバー部２３を備えた構成とされているが、第１側面カバー部２２及び第２側面カバー部２３を備えない構成としてもよい。
【００９５】
さらに、前記実施の形態では、カバー側シール面３８を、平板状カバー部２１に垂直な方向について、第１の湾曲カバー部２４及び第２の湾曲カバー部２５よりも平板状カバー部２１から離れた位置に配置するようにしているが、カバー側シール面３８を、第１の湾曲カバー部２４及び第２の湾曲カバー部２５の範囲内の位置に配置するようにしてもよい。
【００９６】
さらに、前記実施の形態では、ケース本体１０に樋部材７０を設けるようにしているが、樋部材７０を設けない構成とすることもできる。
【００９７】
さらに、前記実施の形態では、電気機器装置１を、第４壁１４を上方に向けるとともに第１壁１１の延在方向が鉛直方向に平行となる姿勢で設置されるものとしているが、これに限らず、電気機器装置１を設置する際の姿勢は、種々変更可能である。
【符号の説明】
【００９８】
１    電気機器装置
２    電気機器用ケース
３    電気機器
１０    ケース本体
１０ａ  収容空間
１０ｂ  開口
１１    第１壁
１１ａ  第１の辺
１１ｂ  第２の辺
１１ｃ  第３の辺
１１ｄ  第４の辺
１１ｅ  切欠き部
１２    第２壁
１３    第３壁
１３ａ  切欠き部
１４    第４壁
１５    第５壁
１６    突出壁
１６ａ  端面
１７    カバー壁
１８    ケース側シール面
１８ａ  第１ケース側シール面
１８ｂ  第２ケース側シール面
１８ｃ  第３ケース側シール面
１８ｄ  第４ケース側シール面
１９    フレーム材
２０    カバー体
２１    平板状カバー部
２１ａ  第１の辺
２１ｂ  第２の辺
２１ｃ  第３の辺
２１ｄ  第４の辺
２２    第１側面カバー部
２３    第２側面カバー部
２４    第１の湾曲カバー部
２５    第２の湾曲カバー部
２６    取付け孔
３０    防水枠
３０ａ  開口
３１    固定用壁部
３２    第１の隔壁部
３３    第２の隔壁部
３４    第３の隔壁部
３５    第４の隔壁部
３６    第１支持壁
３７    第２支持壁
３８    カバー側シール面
３８ａ  第１カバー側シール面
３８ｂ  第２カバー側シール面
３８ｃ  第３カバー側シール面
３８ｄ  第４カバー側シール面
４０    シール部材
４１    第１シール部
４１ａ  本体部
４１ｂ  段差部
４１ｃ  副体部
４１ｄ  突起部
４２    第２シール部
４２ａ  本体部
４２ｂ  段差部
４２ｃ  副体部
４２ｄ  突起部
４３    第３シール部
４３ａ  本体部
４３ｂ  第１副体部
４３ｃ  第２副体部
４４    第４シール部
４５ａ  境界
４５ｂ  境界
４６ａ  境界
４６ｂ  境界
４７ａ  境界
４７ｂ  境界
４８ａ  境界
４８ｂ  境界
５０    ネジ穴
５１    ネジ部材
６０    第１の連通部
６１    第２の連通部
１２０    カバー体
１２１    平板状カバー部
１２４    第１の湾曲カバー部
１２５    第２の湾曲カバー部
１４０    シール部材
Ｌ    防水ライン
【図１】
0006898533.tif 000002
【図２】
0006898533.tif 000003
【図３】
0006898533.tif 000004
【図４】
0006898533.tif 000005
【図５】
0006898533.tif 000006
【図６】
0006898533.tif 000007
【図７】
0006898533.tif 000008
【図８】
0006898533.tif 000009
【図９】
0006898533.tif 000010
【図１０Ａ】
0006898533.tif 000011
【図１０Ｂ】
0006898533.tif 000012